(57)【特許請求の範囲】
【請求項１】
表示装置に適用される、フレーミング情報の表示方法であって、  撮影装置の前記フレーミング情報を決定することと、  前記表示装置に前記フレーミング情報を表示することと、を含み、  前記表示装置は、スマートグラスであって、かつ、前記表示装置に前記フレーミング情報を表示することは、  前記フレーミング情報に対応するフレーミングビューを決定することと、  前記フレーミングビューの主要な被写体と前記スマートグラスの撮影デバイスによって収集されたイメージビューの主要な被写体との間の類似値を決定することと、  前記類似値に従って前記スマートグラスのレンズに前記フレーミング情報を表示することと、を含み、  前記類似値に従って前記スマートグラスのレンズに前記フレーミング情報を表示することは、  前記類似値が第３の所定の閾値よりも大きい場合に、フルフレーム方式で前記スマートグラスのレンズに前記フレーミング情報を表示することと、  前記類似値が前記第３の所定の閾値よりも小さくかつ第４の所定の閾値よりも大きい場合に、パーシャルフレーム方式で前記スマートグラスのレンズに前記フレーミング情報を表示することと、を含む方法。
【請求項２】
前記表示装置に前記フレーミング情報を表示することは、  前記フレーミング情報を平行光束であってその境界が前記フレーミング情報によって決定される前記平行光束に変換することと、  前記平行光束を前記表示装置上に投射することと、を含む請求項１記載の方法。
【請求項３】
前記表示装置は、スマートグラスであって、かつ、前記表示装置に前記フレーミング情報を表示することは、  前記フレーミング情報に対応するフレーミングビューを決定することと、  前記フレーミングビューと前記スマートグラスの撮影デバイスによって収集される前記 イメージビューとの間の重複ビューの割合を決定することと、  前記重複ビューの割合に従って前記スマートグラスのレンズに前記フレーミング情報を表示することと、を含む請求項１記載の方法。
【請求項４】
前記重複ビューの割合に従って前記スマートグラスのレンズに前記フレーミング情報を表示することは、  前記重複ビューの割合が第１の所定の閾値よりも大きい場合に、フルフレーム方式で前記スマートグラスのレンズに前記フレーミング情報を表示することと、  前記重複ビューの割合が前記第１の所定の閾値よりも小さくかつ第２の所定の閾値よりも大きい場合に、パーシャルフレーム方式で前記スマートグラスのレンズに前記フレーミング情報を表示することと、を含む請求項３記載の方法。
【請求項５】
さらに、  前記重複ビューの割合が前記第２の所定の閾値よりも小さい場合に、ビュー方向を調整すべくユーザをガイドするための誘導メッセージを表示することを含む、請求項４記載の方法。
【請求項６】
さらに、  前記類似値が前記第４の所定の閾値よりも小さい場合に、ビュー方向を調整すべくユーザをガイドするための誘導メッセージを表示すること、を含む請求項１記載の方法。
【請求項７】
フレーミング情報を表示する装置であって、  撮影装置の前記フレーミング情報を決定するように構成される決定モジュールと、  表示装置に前記決定モジュールによって決定された前記フレーミング情報を表示するように構成される表示モジュールと、を備え、  前記表示モジュールは、  前記決定モジュールによって決定された前記フレーミング情報に対応するフレーミングビューを決定するように構成される第３の決定サブモジュールと、  前記第３の決定サブモジュールによって決定された前記フレーミングビューの主要な被写体とスマートグラス の撮影デバイスによって収集されたイメージビューの主要な被写体との間の類似値を決定するように構成される第４の決定サブモジュールと、  前記第４の決定サブモジュールによって決定された前記類似値に従って前記スマートグラスのレンズに前記フレーミング情報を表示するように構成される第４の表示サブモジュールと、を備え、  前記第４の表示サブモジュールは、  前記第４の決定サブモジュールによって決定された前記類似値が第３の所定の閾値よりも大きい場合に、フルフレーム方式で前記スマートグラスのレンズに前記フレーミング情報を表示するように構成される第５の表示サブモジュールと、  前記第４の決定サブモジュールによって決定された前記類似値が前記第３の所定の閾値よりも小さくかつ第４の所定の閾値よりも大きい場合に、パーシャルフレーム方式で前記スマートグラスのレンズに前記フレーミング情報を表示するように構成される第６の表示サブモジュールと、を備える装置。
【請求項８】
前記表示モジュールは、  前記決定モジュールによって決定された前記フレーミング情報を境界が前記フレーミング情報によって決定される平行光束に変換するように構成される光束変換サブモジュールと、  前記光束変換サブモジュールによって変換された前記平行光束を前記表示装置上に投射するように構成される投射サブモジュールと、を備える請求項７記載の装置。
【請求項９】
前記表示モジュールは、  前記決定モジュールによって決定された前記フレーミング情報に対応するフレーミングビューを決定するように構成される第１の決定サブモジュールと、  前記フレーミングビューと前記 スマートグラスの撮影デバイスによって収集された前記 イメージビューとの間の重複ビューの割合を決定するように構成される第２の決定サブモジュールと、  前記第２の決定サブモジュールによって決定された前記重複ビューの割合に従って前記スマートグラスのレンズに前記フレーミング情報を表示するように構成される第１の表示サブモジュールと、を備える請求項７記載の装置。
【請求項１０】
前記第１の表示サブモジュールは、  前記第２の決定サブモジュールによって決定された前記重複ビューの割合が第１の所定の閾値よりも大きい場合に、フルフレーム方式で前記スマートグラスのレンズに前記フレーミング情報を表示するように構成される第２の表示サブモジュールと、  前記第２の決定サブモジュールによって決定された前記重複ビューの割合が前記第１の所定の閾値よりも小さくかつ第２の所定の閾値よりも大きい場合に、パーシャルフレーム方式で前記スマートグラスのレンズに前記フレーミング情報を表示するように構成される第３の表示サブモジュールと、を備える請求項９記載の装置。
【請求項１１】
さらに、  前記第２の決定サブモジュールによって決定された前記重複ビューの割合が前記第２の所定の閾値よりも小さい場合に、ビュー方向を調整すべくユーザをガイドするための誘導メッセージを表示するように構成される第１の誘導モジュールを備える、請求項１０記載の装置。
【請求項１２】
さらに、  前記第４の決定サブモジュールによって決定された前記類似値が前記第４の所定の閾値よりも小さい場合に、ビュー方向を調整すべくユーザをガイドするための誘導メッセージを表示するように構成される第２の誘導モジュールを備える、請求項１１記載の装置。
【請求項１３】
コンピュータが動作している場合、請求項１から６のいずれか１項に記載のフレーミング情報を表示する方法を前記コンピュータに実行させるためのコンピュータプログラム。
【請求項１４】
請求項１３に記載のコンピュータプログラムが記憶されたコンピュータ読取可能な記憶媒体。 
【発明の詳細な説明】
【技術分野】
【０００１】
関連出願の相互参照
この出願は、２０１５年０３月３１日になされた中国特許出願第２０１５１０１５０２７７．７に基づく優先権を主張し、その全文を参照によって、本明細書に取り込まれたものとする。
本開示は、電子技術に関し、特に、フレーミング情報の表示方法及び装置に関する。
【背景技術】
【０００２】
科学技術の発展に伴い、より多くのスマートウェアラブル装置が、一般ユーザの生活に入り込んでいる。スマートウェアラブル装置は、ユーザの生活を楽にするだけでなく、現在の電気製品とより良く連携することができる。スマートグラスを例にとってみる。従来技術では、ディジタルカメラによって現在収集されるイメージをスマートグラスに表示することによって、ユーザは、ディジタルカメラの表示画面を通じてディジタルカメラによって現在収集されるイメージをビューする必要がなくなるかもしれない。この結果、ディジタルカメラの消費電力は低減する。ディジタルカメラの現在のフレーミング範囲を調整する必要がある場合には、ユーザは、スマートグラス取り外すことが必要となり、かつ、ディジタルカメラの表示画面上に表示されたフレームをビューすることによって、ディジタルカメラの撮影方向を調整することも必要となる。したがって、ディジタルカメラのフレーミング範囲を調整するための操作は、ユーザにとって相対的に面倒である。
【発明の概要】
【発明が解決しようとする課題】
【０００３】
従来技術に存在する問題点を解決するために、本開示の実施形態は、撮影装置によって現在撮影されるイメージビューのフレーミング範囲をビューするための操作を簡素化するような、フレーミング情報の表示方法及び装置を提供する。
【課題を解決するための手段】
【０００４】
本開示の実施形態の第一の態様に従って、フレーミング情報の表示方法が提供される。前記方法は、
撮影装置の前記フレーミング情報を決定することと、
前記表示装置に前記フレーミング情報を表示することと、を含む。
【０００５】
一実施形態では、前記表示装置に前記フレーミング情報を表示することは、
前記フレーミング情報を平行光束であってその境界が前記フレーミング情報によって決定される前記平行光束に変換することと、
前記平行光束を前記表示装置上に投射することと、を含む。
【０００６】
一実施形態では、前記表示装置は、スマートグラスとすることができ、かつ、前記表示装置に前記フレーミング情報を表示することは、
前記フレーミング情報に対応するフレーミングビューを決定することと、
前記フレーミングビューと前記スマートグラスの撮影デバイスによって収集された前記イメージビューとの間の重複ビューの割合を決定することと、
前記重複ビューの割合に従って前記スマートグラスのレンズに前記フレーミング情報を表示することと、を含むことができる。
【０００７】
一実施形態では、前記重複ビューの割合に従って前記スマートグラスのレンズに前記フレーミング情報を表示することは、
前記重複ビューの割合が第１の所定の閾値よりも大きい場合に、フルフレーム方式で前記スマートグラスのレンズに前記フレーミング情報を表示することと、
前記重複ビューの割合が前記第１の所定の閾値よりも小さくかつ第２の所定の閾値よりも大きい場合に、パーシャルフレーム方式で前記スマートグラスのレンズに前記フレーミング情報を表示することと、を含むことができる。
【０００８】
一実施形態では、さらに、前記方法は、
前記重複ビューの割合が前記第２の所定の閾値よりも小さい場合に、ビュー方向を調整すべくユーザをガイドするための誘導メッセージを表示することを含むことができる。
【０００９】
一実施形態では、前記表示装置は、スマートグラスとすることができ、かつ、前記表示装置に前記フレーミング情報を表示することは、
前記フレーミング情報に対応するフレーミングビューを決定することと、
前記フレーミングビューの主要な被写体と前記スマートグラスの撮影デバイスによって収集されたイメージビューの主要な被写体との間の類似値を決定することと、
前記類似値に従って前記スマートグラスのレンズに前記フレーミング情報を表示することと、を含むことができる。
【００１０】
一実施形態では、前記類似値に従って前記スマートグラスのレンズに前記フレーミング情報を表示することは、
前記類似値が第３の所定の閾値よりも大きい場合に、フルフレーム方式で前記スマートグラスのレンズに前記フレーミング情報を表示することと、
前記類似値が前記第３の所定の閾値よりも小さくかつ第４の所定の閾値よりも大きい場合、にパーシャルフレーム方式で前記スマートグラスのレンズに前記フレーミング情報を表示することと、を含むことができる。
【００１１】
一実施形態では、さらに、前記方法は、
前記類似値が前記第４の所定の閾値よりも小さい場合に、ビュー方向を調整すべくユーザをガイドするための誘導メッセージを表示すること、を含むことができる。
【００１２】
本開示の実施形態の第２の態様に従って、フレーミング情報を表示する装置が提供される。スマートグラスに適用される前記装置は、
撮影装置の前記フレーミング情報を決定するように構成される決定モジュールと、
表示装置に前記決定モジュールによって決定された前記フレーミング情報を表示するように構成される表示モジュールと、を含む。
【００１３】
一実施形態では、前記表示モジュールは、
前記決定モジュールによって決定された前記フレーミング情報を境界が前記フレーミング情報によって決定される平行光束に変換するように構成される光束変換サブモジュールと、
前記光束変換サブモジュールによって変換された前記平行光束を前記表示装置上に投射するように構成される投射サブモジュールと、を含むことができる。
【００１４】
一実施形態では、前記表示モジュールは、
前記決定モジュールによって決定された前記フレーミング情報に対応するフレーミングビューを決定するように構成される第１の決定サブモジュールと、
前記フレーミングビューと前記スマートグラスの撮影デバイスによって収集された前記イメージビューとの間の重複ビューの割合を決定するように構成される第２の決定サブモジュールと、
前記第２の決定サブモジュールによって決定された前記重複ビューの割合に従って前記スマートグラスのレンズに前記フレーミング情報を表示するように構成される第１の表示サブモジュールと、を含むことができる。
【００１５】
一実施形態では、前記第１の表示サブモジュールは、
前記第２の決定サブモジュールによって決定された前記重複ビューの割合が第１の所定の閾値よりも大きい場合に、フルフレーム方式で前記スマートグラスのレンズに前記フレーミング情報を表示するように構成される第２の表示サブモジュールと、
前記第２の決定サブモジュールによって決定された前記重複ビューの割合が前記第１の所定の閾値よりも小さくかつ第２の所定の閾値よりも大きい場合に、パーシャルフレーム方式で前記スマートグラスのレンズに前記フレーミング情報を表示するように構成される第３の表示サブモジュールと、を含むことができる。
【００１６】
一実施形態では、さらに、前記装置は、
前記第２の決定サブモジュールによって決定された前記重複ビューの割合が前記第２の所定の閾値よりも小さい場合に、ビュー方向を調整すべくユーザをガイドするための誘導メッセージを表示するように構成される第１の誘導モジュールを含むことができる。
【００１７】
一実施形態では、前記表示モジュールは、
前記決定モジュールによって決定された前記フレーミング情報に対応するフレーミングビューを決定するように構成される第３の決定サブモジュールと、
前記第３の決定サブモジュールによって決定された前記フレーミングビューの主要な被写体と前記スマートグラスの撮影デバイスによって収集されたイメージビューの主要な被写体との間の類似値を決定するように構成される第４の決定サブモジュールと、
前記第４の決定サブモジュールによって決定された類似値に従って前記スマートグラスのレンズに前記フレーミング情報を表示するように構成される第４の表示サブモジュールと、を含むことができる。
【００１８】
一実施形態では、前記第４の表示サブモジュールは、
前記第４の決定サブモジュールによって決定された前記類似値が第３の所定の閾値よりも大きい場合に、フルフレーム方式で前記スマートグラスのレンズに前記フレーミング情報を表示するように構成される第５の表示サブモジュールと、
前記第４の決定サブモジュールによって決定された前記類似値が前記第３の所定の閾値よりも小さくかつ第４の所定の閾値よりも大きい場合に、パーシャルフレーム方式で前記スマートグラスのレンズに前記フレーミング情報を表示するように構成される第６の表示サブモジュールと、を含むことができる。
【００１９】
一実施形態では、さらに、前記装置は、
前記第４の決定サブモジュールによって決定された前記類似値が前記第４の所定の閾値よりも小さい場合に、ビュー方向を調整すべくユーザをガイドするための誘導メッセージを表示するように構成される第２の誘導モジュールを含むことができる。
【００２０】
本開示の実施形態の第３の態様に従って、フレーミング情報を表示する装置が提供される。前記装置は、
プロセッサと、
前記プロセッサによって実行可能な命令を記憶するメモリと、を備え、
前記プロセッサは、
撮影装置の前記フレーミング情報を決定し、
表示装置に前記フレーミング情報を表示するように構成される。
【００２１】
本開示の実施形態によって提供される解決策は、以下の利点を含むことができる。撮影装置のフレーミング情報を表示装置に表示することによって、ユーザは、表示装置を通じて撮影装置のフレーミング範囲を直接ビューすることができる。その結果、撮影装置とフレーミング表示との分離を実現することができる。ユーザにとって、ディジタルカメラのフレーミング範囲を調整するための操作は簡略化する。
【００２２】
上記の概説及び以下の詳細な説明の両方は、例示的かつ説明的なものにすぎず、請求項に記載された発明を限定するものではないと理解されるべきである。
【図面の簡単な説明】
【００２３】
【図１Ａ】例示的な実施形態に従うフレーミング情報の表示方法を示すフローチャートである。
【図１Ｂ】本開示の実施形態に従う適用可能なシーンの概略図である。
【図２】第１の例示的な実施形態に従うフレーミング情報の表示方法を示すフローチャートである。
【図３Ａ】本開示の実施形態に適用可能であって、かつ、スマートグラスと撮影装置とによって形成されるシステムの概略図である。
【図３Ｂ】本開示の例示的な実施形態に従うフレーミング情報に対応するフレーミングビューの概略図である。
【図３Ｃ】本開示の例示的な実施形態に従うスマートグラスによって撮影されるイメージビューの第１の概略図である。
【図３Ｄ】本開示の例示的な実施形態に従うスマートグラスによって撮影されるイメージビューの第２の概略図である。
【図３Ｅ】本開示の例示的な実施形態に従うスマートグラスによって撮影されるイメージビューの第３の概略図である。
【図４】第２の例示的な実施形態に従うフレーミング情報の表示方法を示すフローチャートである。
【図５】第３の例示的な実施形態に従うフレーミング情報の表示方法を示すフローチャートである。
【図６】例示的な実施形態に従うフレーミング情報を表示する装置のブロック図である。
【図７】例示的な実施形態に従う別のフレーミング情報を表示する装置のブロック図である。
【図８】例示的な実施形態に従うまた別のフレーミング情報を表示する装置のブロック図である。
【図９】例示的な実施形態に従うフレーミング情報を表示するために適用可能なデバイスのブロック図である。
【発明を実施するための形態】
【００２４】
本明細書に取り込まれてその一部を構成する添付の図面は、本発明と一致する実施形態を示し、かつ、その説明と併せて、本発明の原理の説明に供される。
【００２５】
図１Ａは、例示的な実施形態に従うフレーミング情報の表示方法を示すフローチャートである。図１Ｂは、本開示の実施形態に従う適用可能なシーンの概略図である。フレーミング情報の表示方法は、スマートグラス、アイグラスなどの表示機能を有する装置に適用することができる。この実施形態は、図１Ｂに示される。図１Ａを参照すると、フレーミング情報の表示方法は、ステップＳ１０１、Ｓ１０２を含む。
【００２６】
ステップＳ１０１では、撮影装置のフレーミング情報が決定される。
【００２７】
一実施形態では、撮影装置の現在のフレーミング情報は、撮影装置のビューファインダーによって取得することができる。一実施形態では、フレーミング情報は、無線伝送又は有線伝送を通じて表示装置に伝送することができる。無線伝送は、ＷＩ−ＦＩ、ブルートゥース（登録商標）等を含み、有線伝送は、ＵＳＢ等を含む。撮影装置のフレーミング情報の具体的な形式は、本開示に限定されるものではない。
【００２８】
ステップＳ１０２では、フレーミング情報は、表示装置に表示される。
【００２９】
一実施形態では、フレーミング情報は、平行光束の形式で表示装置に表示することができる。別の実施形態では、フレーミング情報は、フレーム方式で表示装置に表示することができる。
【００３０】
図１Ａに示す実施形態は、以下、図１Ｂに示される。立方体１０は、一箇所に配置され、かつ、撮影装置１１及びユーザは、立方体１０のＡ側に位置する。立方体１０が撮影装置１１によって写真撮影される必要があれば、撮影装置１１がより高い場所に現在位置している場合には、ユーザは、撮影装置１１の表示画面から撮影装置１１のフレーミング情報を直接ビューすることはできない。この場合、撮影装置１１の現在のフレーミング情報は、本開示の方法によって表示装置１２に表示することができる。この結果、ユーザは、表示装置１２で撮影装置１１の現在のフレーミング情報をビューすることができる。
【００３１】
この実施形態では、表示装置に撮影装置のフレーミング情報を表示することによって、ユーザは、表示装置を通じて、撮影装置のフレーミング範囲を直接ビューすることができる。この結果、撮影装置とフレーム表示との分離が実現する。ユーザにとって、ディジタルカメラのフレーミング範囲を調整するための操作は簡略化する。
【００３２】
一実施形態では、表示装置にフレーミング情報を表示することは、フレーミング情報を境界がフレーミング情報によって決定される平行光束に変換することと、平行光束を表示装置上に投射することと、を含むことができる。
【００３３】
一実施形態では、表示装置は、スマートグラスとすることができ、フレーミング情報を表示装置に表示することは、フレーミング情報に対応するフレーミングビューを決定することと、フレーミングビューとスマートグラスの撮影デバイスによって収集されたイメージビューとの間の重複ビューの割合を決定することと、重複ビューの割合に従ってスマートグラスのレンズにフレーミング情報を表示することと、を含むことができる。
【００３４】
一実施形態では、重複ビューの割合に従ってスマートグラスのレンズにフレーミング情報を表示することは、重複ビューの割合が第１の所定の閾値よりも大きい場合に、フルフレーム方式でスマートグラスのレンズにフレーミング情報を表示することと、重複ビューの割合が第１の所定の閾値よりも小さくかつ第２の所定の閾値よりも大きい場合に、パーシャルフレーム方式でスマートグラスのレンズにフレーミング情報を表示することと、を含むことができる。
【００３５】
一実施形態では、さらに、この方法は、重複ビューの割合が第２の所定の閾値よりも小さい場合に、ビュー方向を調整すべくユーザをガイドするための誘導メッセージを表示することを含むことができる。
【００３６】
一実施形態では、この表示装置は、スマートグラスとすることができ、かつ、この表示装置にフレーミング情報を表示することは、フレーミング情報に対応するフレーミングビューを決定することと、フレーミングビューの主要な被写体とスマートグラスの撮影デバイスによって収集されたイメージビューの主要な被写体との間の類似値を決定することと、類似値に従ってスマートグラスのレンズにフレーミング情報を表示することと、を含むことができる。
【００３７】
一実施形態では、類似値に従ってスマートグラスのレンズにフレーミング情報を表示することは、類似値が第３の所定の閾値よりも大きい場合に、フルフレーム方式でスマートグラスのレンズにフレーミング情報を表示することと、類似値が第３の所定の閾値よりも小さくかつ第４の所定の閾値よりも大きい場合に、パーシャルフレーム方式でスマートグラスのレンズにフレーミング情報を表示することと、を含むことができる。
【００３８】
一実施形態では、さらに、この方法は、類似値が第４の所定の閾値よりも小さい場合に、ビュー方向を調整すべくユーザをガイドするための誘導メッセージを表示することを含むことができる。
【００３９】
撮影装置のフレーミング情報を表示する手法に関する詳細については、以下の実施形態が参照される。
【００４０】
これまでのように、本開示により提供される上記の方法で、撮影装置とフレーミング表示との分離が実現され、かつ、ユーザにとってディジタルカメラのフレーミング範囲を調整するための操作は簡略化する。
【００４１】
図２は、第１の例示的な実施形態に従うフレーミング情報の表示方法を示すフローチャートである。この実施形態は、例示的な説明を行うために、例えば表示装置としてアイグラスを取りあげる。図２に示すように、この方法は以下のステップを含む。
【００４２】
ステップ２０１では、撮影装置のフレーミング情報が決定される。
【００４３】
ステップＳ２０１の説明は、上述のステップＳ１０１の説明を参照することができるので、本明細書では詳細には説明しないであろう。
【００４４】
ステップ２０２では、フレーミング情報は平行光束に変換され、かつ、平行光束の境界がフレーミング情報によって決定される。
【００４５】
一実施形態では、フレーミング情報は、レーザデバイス、投射器等の電光変換器を通じて平行光束に変換することができる。
【００４６】
ステップ２０３では、平行光束は、アイグラス上に投射される。
【００４７】
一実施形態では、アイグラスにマイクロ投射デバイスを装着することによって、撮影装置のフレーミング情報は、レンズの俯瞰的な効果を達成するようにアイグラスのレンズ上に投射される。
【００４８】
この実施形態では、平行光束の形式でアイグラス上に撮影装置のフレーミング情報を投射することによって、撮影装置とフレーミング表示との分離が実現される。さらに、フレーミング情報の境界がアイグラス上に投射されるため、ユーザはアイグラスによって撮影装置の現在のフレーミング範囲をビューすることができ、かつ、同時に彼又は彼女の目の前の本当のシーンはアイグラスによってビューすることもできる。この結果、ユーザの実際の視野は影響を受けることはないであろう。
【００４９】
本開示の上記の実施形態では、平行光束は、フレーミング情報を平行光束に変換する投射器を通じて表示装置に投射することもできることは、当業者によって理解することができる。
【００５０】
図３Ａは、本開示の実施形態に適用可能であって、かつ、スマートグラスと撮影装置とによって形成されるシステムの概略図である。図３Ｂは、本開示の例示的な実施形態に従うフレーミング情報に対応するフレーミングビューの概略図である。図３Ｃは、本開示の例示的な実施形態に従うスマートグラスによって撮影されるイメージビューの第１の概略図である。図３Ｄは、本開示の例示的な実施形態に従うスマートグラスによって撮影されるイメージビューの第２の概略図である。図３Ｅは、本開示の例示的な実施形態に従うスマートグラスによって撮影されるイメージビューの第３の概略図である。図３Ａに示すように、スマートグラス３１及び撮影装置１１は、ＷＩ−ＦＩ又は赤外線等の無線形式で通信することができる。このように、撮影装置１１は、スマートグラス３１にフレーミング情報を伝送することができる。撮影装置１１は、撮影装置１１に設けられているビューファインダーを通じて撮影装置１１のレンズのフレーミング情報を決定することができ、かつ、ビューファインダーによって決定されたフレーミング情報をスマートグラス３１に伝送することができる。スマートグラス３１は、フレームの形式でスマートグラス３１のレンズ３２に撮影装置１１のフレーミング情報を表示する。一実施形態では、撮影装置１１は、ディジタルカメラ、スポーツカメラ、一眼レフ（ＳＬＲ：Single Lens Reflex）カメラ等の、ディジタルイメージを収集可能なデバイスとすることができる。
【００５１】
図３Ｂは、撮影装置１１の現在のフレーミングビュー３２１であって、撮影装置１１のビューファインダーがフレーミング情報を決定する際に介するフレーミングビューを示す。図３Ｃは、ユーザによって着用されているスマートグラス３１の一のアングルから、スマートグラス３１の撮影デバイスによって収集されるイメージビュー３１１を示す。図３Ｄは、ユーザによって着用されているスマートグラス３１の別のアングルから、スマートグラス３１の撮影デバイスによって収集されるイメージビュー３１２を示す。図３Ｅは、ユーザによって着用されているスマートグラス３１のさらに別のアングルから、スマートグラス３１の撮影デバイスによって収集されるイメージビュー３１３を示す。
【００５２】
例えば、例示的なシーンでは、図３Ｂ及び図３Ｃに示されるように、カップは撮影装置１１の現在のフレーミングビュー３２１及びスマートグラス３１によって現在撮影されるイメージビュー３１１の両方に現れ、かつ、各カップは本質的に同じアングルでそれぞれのビューに現れる。この場合には、フレーミングビューは、ユーザの視方向と本質的に一致していると決定される。こうして、撮影装置１１のフレーミング情報は、フレーム方式でスマートグラス３１のレンズ３２に表示される。ユーザがスマートグラス３１を着用する場合、彼又は彼女は、フレーム３０を通じて撮影装置１１の現在のフレーミング範囲を得ることができる。別の例示的なシーンでは、図３Ｄに示すように、イメージビュー３１２は、ユーザがスマートグラス３１を着用している間、別のアングルからスマートグラス３１の撮影デバイスによって収集される。撮影装置１１のフレーミングビュー３２１とイメージビュー３１２との内容から、スマートグラス３１と撮影装置１１の現在のフレーミング方向との間にずれがあることを示していて、イメージビュー３１２内のカップの一部がスマートグラス３１の視界を外れていることがわかる。小さな範囲でビュー方向を調整することをユーザに思い出させるために、撮影装置１１のフレーミングビューを、パーシャルフレーム方式でレンズ３２に表示してもよい。フレーミングビューがユーザの視方向と本質的に一致することを検出した場合、フレーミング情報は、フレーム方式でレンズ３２に表示される。さらに別の例示的なシーンでは、図３Ｅに示すように、ユーザがスマートグラス３１を着用している間、イメージビュー３１３は、さらに別のアングルからスマートグラス３１の撮影デバイスによって収集される。撮影装置１１のフレーミングビュー３２１とイメージビュー３１３との内容から、スマートグラス３１と撮影装置１１の現在のフレーミング方向との間に大きなずれがあることを示していて、イメージビュー３１３のカップは全体がユーザの現在の視界を外れていることがわかる。この場合には、ユーザを彼又は彼女の視方向を調整すべくガイドするために、ユーザを彼又は彼女の視方向の調整するために導く誘導情報を、フレーミング情報がユーザの視方向と本質的に一致していることが検出され、それから、フレーミング情報がフレームの形式でレンズ３２に表示されるまで、レンズ３２に表示することができる。
【００５３】
撮影装置の視界が撮影装置のビューファインダーによって直接ビューすることができない状況の場合（例えば、撮影装置がスポーツカメラであり、かつ、ユーザが彼又は彼女の頭上に又は床面に沿ってスポーツカメラを固定して写真を撮らなければならない場合）、本実施形態では、撮影装置とフレーミング表示との分離を実現するために、表示装置に撮影装置のフレーミング情報を表示することによって、ユーザが表示装置を通じて撮影装置のフレーミング範囲を直接見ることを可能としている。ユーザにとって、ディジタルカメラのフレーミング範囲を調整するための操作は簡略化する。表示装置がスマートグラスの場合、撮影装置によって現在収集されるイメージがスマートグラスのレンズに提示されていないため、ユーザの実際の視野が影響を受けることはないであろう。この結果、スマートグラスを通じて撮影装置の現在のフレーミング範囲をビューしている間、ユーザは、彼又は彼女の目の前の本当のシーンをビューすることもできる。こうして、スマートグラスを用いることに対するユーザの体験は推進される。
【００５４】
図４は、第２の例示的な実施形態に従うフレーミング情報の表示方法を示すフローチャートである。この実施形態では、本開示の実施形態によって提供される上記の方法で、図３Ａ−図３Ｅを参照することは、例えば、フレーミング情報が、フレーミング情報に対応するフレーミングビューとスマートグラスの撮影デバイスによって収集されるイメージビューとの間の重複ビューの割合に従って、スマートグラスのレンズに表示されることを、例示的に説明するために事実を取り上げる。図４に示すように、この方法は以下のステップを含む。
【００５５】
ステップＳ４０１では、撮影装置のフレーミング情報が決定される。
【００５６】
ステップＳ４０１の説明は、上述のステップＳ１０１の説明を参照することができるので、本明細書では詳細には説明しないであろう。
【００５７】
ステップＳ４０２では、フレーミング情報に対応するフレーミングビューが決定される。
【００５８】
一実施形態では、フレーミングビューは、上記ステップＳ４０１と同じ形式で、スマートグラスに伝送することができる。
【００５９】
ステップＳ４０３では、フレーミングビューとスマートグラスの撮影デバイスによって収集されたイメージビューとの間の重複ビューの割合が決定される。
【００６０】
一実施形態では、フレーミング情報に対応するフレーミングビューとスマートグラスの撮影デバイスによって収集されたイメージビューとのグレー情報の対応関係の類似性及び／又は整合性を分析することによって、それらの間の重複ビューの割合が決定される。例えば、フレーミングビューが基準とされ、かつ、スマートグラスの撮影デバイスによって収集されたイメージビューと撮影装置によって収集されフレーミングビューとの間の重複ビューの範囲が決定される。例えば、スマートグラスの撮影デバイスによって収集されるイメージビューの解像度が６４０×４８０であり、かつ、スマートグラスの撮影デバイスによって収集されたイメージビューと撮影装置によって収集されたフレーミングビューとの間の重複ビューの範囲における画素数が３２０×１５０であるならば、それらの間の重複ビューの割合は、（３２０×１５０）／（６４０×４８０）＝０．１５６として得ることができる。
【００６１】
ステップＳ４０４では、重複ビューの割合は、第１の所定の閾値及び第２の所定の閾値と比較され、かつ、フレーミング情報は、比較結果に従ってスマートグラスのレンズに表示される。例えば、重複ビューの割合が第１の所定の閾値よりも大きい場合にはステップＳ４０５が実行され、重複ビューの割合が第１の所定の閾値よりも小さくかつ第２の所定の閾値よりも大きい場合にはステップＳ４０６が実行され、重複ビューの割合が第２の所定の閾値よりも小さい場合にはステップＳ４０７が実行される。
【００６２】
一実施形態では、第１の所定の閾値及び第２の所定の閾値は、撮影装置の解像度とスマートグラスの撮影デバイスの解像度とに従って決定することができる。こうして、重複ビューの割合の算出精度は確保される。
【００６３】
ステップＳ４０５では、重複ビューの割合が第１の所定の閾値よりも大きい場合、フレーミング情報は、フルフレーム方式でスマートグラスのレンズに表示される。
【００６４】
図３Ｃに示すように、カップは、スマートグラス３１によって現在撮影されるイメージビュー３１１に現れる。したがって、フレーミングビューとイメージビューとの両方がカップのシーンを含み、かつ、フレーミングビューとイメージビューとの間の重複ビューの割合が第１の所定の閾値よりも大きいと決定される場合、各カップは本質的に同じアングルでそれぞれのビューに現れて示される。この場合には、フレーミングビューは、イメージビューに一致していると決定することができる。この結果、フレーミング情報は、フルフレーム方式でスマートグラス３１のレンズ３２に表示される。すなわち、ユーザがスマートグラス３１を着用した後、撮影装置１１の現在のフレーミング範囲は、フルフレームによって得ることができる。一実施形態では、フルフレームは、カラーでレンズ３２に表示される。例えば、フレーミングビューがイメージビューと本質的に一致している場合、フレーミング情報は、緑フレーム方式でレンズ３２に提示される。
【００６５】
ステップＳ４０６では、重複ビューの割合が第１の所定の閾値よりも小さくかつ第２の所定の閾値よりも大きい場合、フレーミング情報は、パーシャルフレーム方式でスマートグラスのレンズに表示される。
【００６６】
図３Ｄに示すように、イメージビュー３１２は、ユーザがスマートグラス３１を着用している間に、別のアングルからスマートグラス３１の撮影デバイスによって収集される。撮影装置１１のフレーミングビュー３２１とイメージビュー３１２との内容から、撮影装置１１よって撮影されたフレーミングビュー３２１とイメージビュー３１２との間の重複ビューの割合が減少するであろうということが、イメージ検出技術によって決定され得ることがわかる。例えば、重複ビューの割合が第１の所定の閾値よりも小さくかつ第２の所定の閾値よりも大きい場合に、スマートグラス３１と撮影装置１１の現在のフレーミング方向との間にずれがあることが示され、かつ、パーシャルフレーミング情報は小さな範囲でビュー方向を調整すべくユーザを誘導するために、赤フレーム方式でレンズ３２に表示される。フレーミング情報が第２のフレーミング情報と本質的に一致することが検出される場合、フレーミング情報はレンズ３２に表示される。
【００６７】
ステップＳ４０７では、重複ビューの割合が第２の所定の閾値よりも小さい場合、ビュー方向を調整するために、ユーザをガイドするための誘導メッセージが、レンズに表示される。
【００６８】
図３Ｅに示すように、ユーザがスマートグラス３１を着用している間、イメージビュー３１３は、さらに別のアングルからスマートグラス３１の撮影デバイスによって収集される。撮影装置１１のフレーミングビュー３２１とイメージビュー３１３との内容から、撮影装置１１よって撮影されたフレーミングビュー３２１とイメージビュー３１３との間の重複ビューの割合が減少するであろうということが、イメージ検出技術によって決定され得るとわかる。例えば、重複ビューの割合が第２の所定の閾値よりも小さい場合、イメージビュー３１３のカップは、スマートグラス３１の視界から一般的に外れていることを示し、かつ、スマートグラス３１と撮影装置１１の現在のフレーミング方向との間に大きなずれがある。この時点で、ビュー方向を調整すべくユーザをガイドするために、ユーザが移動する必要がある方向に誘導するための誘導が、フレーミング情報が第２のフレーミング情報と本質的に一致していることが検出され、それから、フレーミング情報がレンズ３２に表示されるまで、レンズ３２に与えられる。例えば、ユーザを矢印を通じて彼または彼女の現在の視界を調整するように誘導することによって、撮影装置１１の現在の視界を、ユーザが得ることができる。
【００６９】
撮影装置の視界が撮影装置のビューファインダーによって直接ビューすることができない状況の場合（例えば、撮影装置がスポーツカメラであり、かつ、ユーザが彼又は彼女の頭上に又は床面に沿ってスポーツカメラを固定して写真を撮らなければならない場合）、この実施形態では、重複ビューの割合に従ってスマートグラスのレンズへの撮影装置のフレーミング情報の表示方式を決定することによって、ユーザの実際の視野が影響を受けないようにすることができる。スマートグラスを通じて撮影装置の現在のフレーミング範囲をビューしながら、ユーザは、彼又は彼女の目の前の本当のシーンを見ることもできる。こうして、スマートグラスを用いることに対するユーザの体験が推進される。
【００７０】
図５は、第３の例示的な実施形態に従うフレーミング情報の表示方法を示すフローチャートである。この実施形態では、本開示の実施形態によって提供される上記の方法で、図３Ａ−図３Ｅを参照することは、例えば、撮影装置のフレーミング情報が、フレーミング情報に対応するフレーミングビューの主要な被写体とスマートグラスの撮影デバイスによって収集されたイメージビューの主要な被写体との間の類似値に従って、スマートグラスのレンズに表示されることを、例示的に説明するために、事実を取り上げる。図５に示すように、この方法は以下のステップを含む。
【００７１】
ステップＳ５０１では、撮影装置のフレーミング情報が決定される。
【００７２】
ステップＳ５０１の説明は、上述のステップＳ１０１の説明を参照することができるので、本明細書では詳細には説明しないであろう。
【００７３】
ステップＳ５０２では、フレーミング情報に対応するフレーミングビューが決定される。
【００７４】
ステップＳ５０２の説明は、上述のステップＳ４０２の説明を参照することができるので、本明細書では詳細には説明しないであろう。
【００７５】
ステップＳ５０３では、フレーミングビューの主要な被写体とスマートグラスの撮影デバイスによって収集されたイメージビューの主要な被写体との間の類似値が決定される。
【００７６】
一実施形態では、撮影装置によって収集されたフレーミングビューとスマートグラスの撮影デバイスによって収集されたイメージビューとのビューコンテンツ（すなわち、この実施形態では、主要な被写体）の対応関係の類似性を分析することによって、それらの間の類似値は決定される。
【００７７】
ステップＳ５０４では、類似値が第３の所定の閾値及び第４の所定の閾値と比較され、かつ、フレーミング情報が比較結果に従ってスマートグラスのレンズに表示される。例えば、類似値が第３の所定の閾値よりも大きい場合にはステップＳ５０５が実行され、類似値が第３の所定の閾値よりも小さくかつ第４の所定の閾値よりも大きい場合にはステップＳ５０６が実行され、類似値が第４の所定の閾値よりも小さい場合にはステップＳ５０７が実行される。
【００７８】
一実施形態では、第３の所定の閾値及び第４の所定の閾値は、撮影装置とスマートグラスの撮影デバイスとの解像度に従って決定することができる。こうして、重複ビューの割合の計算精度は確保される。
【００７９】
ステップＳ５０５では、類似値が第３の所定の閾値よりも大きい場合には、フレーミング情報は、フルフレーム方式でスマートグラスのレンズに表示される。
【００８０】
図３Ｃに示すように、そして、図３Ｂ−図３Ｃに示すように、カップは、撮影装置１１の現在のフレーミングビュー３２１とスマートグラス３１によって現在撮影されるイメージビュー３１１との両方に現れる。それらの間の類似値が第３の所定の閾値よりも大きいと、イメージ検出技術によって決定される場合、各カップが本質的に同じアングルでそれぞれのビューに現れると示される。この場合には、フレーミングビュー３２１のフレーミング方向がイメージビュー３１１のそれと一致すると決定される。この結果、撮影装置１１のフレーミング情報は、フレーム方式でスマートグラス３１のレンズ３２に表示される。すなわち、ユーザがスマートメガネ３１を着用した後、撮影装置１１の現在のフレーミング範囲は、フレーム３０によって得ることができる。一実施形態では、フレーム３０は、カラーでレンズ３２に表示することができる。例えば、フレーミングビュー３２１のフレーミング方向がイメージビュー３１１のそれと本質的に一致している場合、フレーム３０は、グリーンフレーム方式でレンズ３２に提示される。
【００８１】
ステップＳ５０６では、類似値が第３の所定の閾値より小さくかつ第４の所定の閾値よりも大きい場合、フレーミング情報は、パーシャルフレーム方式でスマートグラスのレンズに表示される。
【００８２】
図３Ｄに示すように、ユーザがスマートグラス３１を着用している間、イメージビュー３１２は、別のアングルからスマートグラス３１の撮影デバイスによって収集される。撮影装置１１のフレーミングビュー３２１とイメージビュー３１２との内容から、撮影装置１１よって撮影されたフレーミングビュー３２１のカップとイメージビュー３１２のカップとの間の類似値が減少するであろうということがイメージ検出技術によって決定され得るとわかる。例えば、類似値が第３の所定の閾値よりも小さくかつ第４の所定の閾値よりも大きい場合に、スマートグラス３１と撮影装置１１の現在のフレーミング方向との間にずれがあることを示しかつ小さな範囲でビュー方向を調整することをユーザに誘導するように、フレーミング情報は、パーシャルフレーム方式で、特に、赤フレーム方式でレンズ３２に表示される。フレーミング情報が第２のフレーミング情報と本質的に一致していることが検出される場合、フレーミング情報は、フルフレーム方式でレンズ３２に表示される。
【００８３】
ステップＳ５０７では、類似値が第４の所定の閾値よりも小さい場合に、ビュー方向を調整するために、ユーザをガイドするための誘導メッセージが、レンズに表示される。
【００８４】
図３Ｅに示すように、ユーザがスマートグラス３１を着用している間、イメージビュー３１３は、さらに別のアングルからスマートグラス３１の撮影デバイスによって収集される。撮影装置１１のフレーミングビュー３２１とイメージビュー３１３との内容から、撮影装置１１よって撮影されたフレーミングビュー３２１のカップとイメージビュー３１３のカップとの間の類似値が減少するであろうということがイメージ検出技術によって決定され得るとわかる。例えば、類似値が第４の所定の閾値よりも小さい場合に、イメージビュー３１３のカップがスマートグラス３１の視界を一般的に外れていることが示され、かつ、スマートグラス３１と撮影装置１１の現在のフレーミング方向との間にずれがある。この時点で、ビュー方向を調整すべくユーザをガイドするために、ユーザが移動する必要がある方向を誘導するための誘導が、フレーミング情報が第２のフレーミング情報に本質的に一致していて、フレーミング情報がフルフレーム方式でレンズ３２に表示されることを検出するまで、レンズ３２に与えられる。例えば、ユーザを矢印を通じて彼または彼女の現在の視界を調整すべく誘導することによって、撮影装置１１の現在の視界が、ユーザによって得られる。
【００８５】
撮影装置の視界が撮影装置のビューファインダーによって直接ビューすることができない状況の場合（例えば、撮影装置がスポーツカメラであり、かつ、ユーザが彼又は彼女の頭上に又は床面に沿ってスポーツカメラを固定して写真を撮らなければならない場合）、この実施形態では、類似値に従ってスマートグラスのレンズに撮影装置のフレーミング情報への表示方式を決定することによって、ユーザの実際の視野が影響を受けなくすことができる。スマートグラスを通じて撮影装置の現在のフレーミング範囲を見ながら、ユーザは、彼又は彼女の目の前の本当のシーンを見ることもできる。こうして、スマートグラスを用いることに対するユーザの体験は推進される。
【００８６】
重複ビューの割合及び主要な被写体は、記載のための例示的な例として取り上げられていることは、当業者にとって理解され得ることである。フレーミングビューとイメージビューとの間の視界の整合性は、フレーミングビューとイメージビューとのイメージ特性、イメージビューのテクスチャ特性等の情報に従って決定することもできる。上述した重複ビューの割合の例示的な記載及び主要な被写体は、本開示を限定するものではない。
【００８７】
図６は、例示的な実施形態に従うフレーミング情報を表示する装置のブロック図である。図６に示すように、フレーミング情報を表示する装置は、撮影装置のフレーミング情報を決定するように構成される決定モジュール６１と、表示装置に決定モジュール６１によって決定されたフレーミング情報を表示するように構成される表示モジュール６２と、を含む。
【００８８】
図７は、例示的な実施形態に従うフレーミング情報の別の表示装置のブロック図である。図６に示される実施形態に基づき、表示モジュール６２は、決定モジュール６１によって決定されたフレーミング情報を境界が前記フレーミング情報によって決定される平行光束に変換するように構成される光束変換サブモジュール６２１と、光束変換サブモジュール６２１によって変換された平行光束を表示装置上に投射するように構成される投射サブモジュール６２２と、を含むことができる。
【００８９】
図８は、例示的な実施形態に従うフレーミング情報のさらに別の表示装置のブロック図である。図６又は図７に示される実施形態に基づき、表示モジュール６２は、決定モジュール６１によって決定されたフレーミング情報に対応するフレーミングビューを決定するように構成される第１の決定サブモジュール６２３と、第１の決定サブモジュール６２３によって決定されたフレーミングビューとスマートグラスの撮影デバイスによって収集されたイメージビューとの間の重複ビューの割合を決定するように構成される第２の決定サブモジュール６２４と、第２の決定サブモジュール６２４によって決定される重複ビューの割合に従ってスマートグラスのレンズにフレーミング情報を表示するように構成される第１の表示サブモジュール６２５と、を含むことができる。
【００９０】
一実施形態では、第１の表示サブモジュール６２５は、第２の決定サブモジュール６２４によって重複ビューの割合が第１の所定の閾値よりも大きい場合にフルフレーム方式でスマートグラスのレンズにフレーミング情報を表示するように構成される第２の表示サブモジュール６２５１と、第２の決定サブモジュール６２４によって重複ビューの割合が第１の所定の閾値よりも小さくかつ第２の所定の閾値よりも大きい場合にパーシャルフレーム方式でスマートグラスのレンズにフレーミング情報を表示するように構成される第３の表示サブモジュール６２５２と、を含むことができる。
【００９１】
一実施形態では、さらに、この装置は、第２の決定サブモジュール６２４によって重複ビューの割合が第２の所定の閾値よりも小さい場合に、レンズのビュー方向を調整すべくユーザをガイドするための誘導メッセージを表示するように構成される第１の誘導モジュール６３を、含むことができる。
【００９２】
一実施形態では、表示モジュール６２は、決定モジュール６１によって決定されたフレーミング情報に対応するフレーミングビューを決定するように構成される第３の決定サブモジュール６２６と、第３の決定サブモジュールフ６２６によって決定されたフレーミングビューの主要な被写体とスマートグラスの撮影デバイスによって収集されたイメージビューの主要な被写体との間の類似値を決定するように構成される第４の決定サブモジュール６２７と、第４の決定サブモジュール６２７によって決定された類似値に従ってスマートグラスのレンズにフレーミング情報を表示するように構成される第４の表示サブモジュール６２８と、を含むことができる。
【００９３】
一実施形態では、第４の表示サブモジュール６２８は、第４の決定サブモジュール６２７によって決定された類似値が第３の所定の閾値よりも大きい場合にフルフレーム方式でスマートグラスのレンズにフレーミング情報を表示するように構成される第５の表示サブモジュール６２８１と、第４の決定サブモジュール６２７によって決定された類似値が第３の所定の閾値よりも小さくかつ第４の所定の閾値よりも大きい場合にパーシャルフレーム方式でスマートグラスのレンズにフレーミング情報を表示するように構成される第６の表示サブモジュール６２８２と、を含むことができる。
【００９４】
一実施形態では、さらに、この装置は、第４の決定サブモジュール６２７によって決定された類似値が第４の所定の閾値よりも小さい場合に、レンズにビュー方向を調整すべくユーザをガイドするための誘導メッセージを表示するように構成される第２の誘導モジュール６４を含んでもよい。
【００９５】
上記の実施形態における装置に関して、その中で個々のモジュールに対する操作を実行するための具体的な形式は、方法に関する実施形態において詳細に記述されているので、本明細書では詳細な説明は省略するであろう。
【００９６】
図９は、例示的な実施形態に従うフレーミング情報を表示するための適用可能なデバイスのブロック図である。例えば、デバイス９００は、携帯電話機、コンピュータ、ディジタル放送端末、メッセージデバイス、ゲーム機、タブレット、医療デバイス、運動機器、携帯情報端末（ＰＤＡ）等とすることができる。
【００９７】
図９を参照すると、デバイス９００は、１以上の以下のコンポーネントを含むことができる。すなわち、プロセッシングコンポーネント９０２、メモリ９０４、電力コンポーネント９０６、マルチメディアコンポーネント９０８、オーディオコンポーネント９１０、入出力（Ｉ／Ｏ：input/output）インターフェイス９１２、センサコンポーネント９１４、及び通信コンポーネント９１６を含むことができる。
【００９８】
プロセッシングコンポーネント９０２は、一般に、表示、電話の呼び出し、データ通信、カメラ操作、及び記録操作等に関連する、デバイス９００の全操作を制御する。プロセッシングコンポーネント９０２は、上述の方法における全て又は一部のステップを行うための命令を実行する１以上のプロセッサ９２０を含むことができる。更に、プロセッシングコンポーネント９０２は、プロセッシングコンポーネント９０２と他のコンポーネントとの間の相互作用を促進する１以上のモジュールを含むことができる。例えば、プロセッシングコンポーネント９０２は、マルチメディアコンポーネント９０８とプロセッシングコンポーネント９０２との間の相互作用を促進するため、マルチメディアモジュールを含むことができる。
【００９９】
メモリ９０４は、デバイス９００の操作をサポートするため、様々なタイプのデータを記憶するように構成される。このようなデータの例は、デバイス９００で操作されるいずれかのアプリケーション又は方法のための命令であるコンタクトデータ、電話帳データ、メッセージ、写真、ビデオ等が含まれる。メモリ９０４は、スタティックランダムアクセスメモリ（ＳＲＡＭ：static random access memory）、電気的に消去可能なプログラマブル読出専用メモリ（ＥＥＰＲＯＭ：electrically erasable programmable read-only memory）、消去可能なプログラマブル読出専用メモリ（ＥＰＲＯＭ：erasable programmable read-only memory）、プログラマブル読出専用メモリ（ＰＲＯＭ：programmable read-only memory），読出専用メモリ（ＲＯＭ：read-only memory）、磁気メモリ、フラッシュメモリ、磁気ディスク又は光ディスク等の、いずれかの種類の揮発性若しくは不揮発性のメモリデバイス、又はこれらの組み合わせを用いて実施されてもよい。
【０１００】
電力コンポーネント９０６は、デバイス９００の様々なコンポーネントに電力を提供する。電力コンポーネント９０６は、電力管理システム、１以上の電源、並びに、デバイス９００での電力の発生、管理、及び、分配に関連する他の如何なるコンポーネントを含んでもよい。
【０１０１】
マルチメディアコンポーネント９０８は、デバイス９００とユーザとの間の出力インターフェイスを提供するスクリーンを含む。いくつかの実施形態では、このスクリーンは、液晶表示（ＬＣＤ：liquid crystal display）及びタッチパネル（ＴＰ：touch panel）を含むことができる。スクリーンがタッチパネルを含む場合、スクリーンは、ユーザからの入力信号を受けるためのタッチスクリーンとして実施されてもよい。このタッチパネルは、タッチパネル上のタッチ、スワイプ、及び、ジェスチャーをセンスするための１以上のタッチセンサを含む。タッチセンサは、タッチ動作又はスワイプ動作の境界をセンスできるだけでなく、タッチ動作又はスワイプ動作に関する時間及び圧力をセンスすることができる。いくつかの実施形態では、マルチメディアコンポーネント９０８は、前方カメラ及び／又は後方カメラを含む。前方カメラ及び後方カメラは、デバイス９００が、写真撮影方式又はビデオ方式等の操作方式にある間、外部のマルチメディアデータを受けることができる。各前方カメラ及び後方カメラは、固定された光学レンズシステムであってもよく、又は、焦点及び光学ズーム性能を有していてもよい。
【０１０２】
オーディオコンポーネント９１０は、オーディオ信号を出力及び／又は入力するように構成される。例えば、オーディオコンポーネント９１０は、デバイス９００が、呼び出し方式、記録方式、及び、音声認識方式等の操作方式にある場合、外部のオーディオ信号を受けるように構成されるマイクロフォン（ＭＩＣ：microphone）を含む。受けられたオーディオ信号は、更に、メモリ９０４に記憶されてもよく、又は、通信コンポーネント９１６を通じて伝送されてもよい。いくつかの実施形態では、オーディオコンポーネント９１０は、更に、オーディオ信号を出力するためのスピーカーを含む。
【０１０３】
Ｉ／Ｏインターフェイス９１２は、キーボード、クリックホイール、ボタン等の周辺インターフェースモジュールとプロセッシングコンポーネント９０２との間のインターフェイスを提供する。ボタンは、ホームボタン、音量ボタン、スタートボタン、及びロックボタンを含むことができるが、これらに限定されるものではない。
【０１０４】
センサコンポーネント９１４は、デバイス９００の様々な態様の状態評価を提供するための１以上のセンサを含む。例えば、センサコンポーネント９１４は、デバイス９００の開／閉ステータス、デバイス９００の、例えば、ディスプレイ及びキーパッド等のコンポーネントの相対的位置、デバイス９００又はデバイス９００のコンポーネントの位置の変化、デバイス９００とのユーザの接触の有無、デバイス９００の向き又は加速／減速、及び、デバイス９００の温度変化、を検出することができる。センサコンポーネント９１４は、如何なる物理的な接触がなくても近くの物体の存在を検出するように構成される近接センサを含むことができる。また、センサコンポーネント９１４は、イメージングアプリケーションで用いるための、ＣＭＯＳ又はＣＣＤイメージセンサ等の光センサを含むことができる。いくつかの実施形態では、センサコンポーネント９１４は、更に、加速度センサ、ジャイロスコープセンサ、磁気センサ、圧力センサ、又は、温度センサを含むことができる。
【０１０５】
通信コンポーネント９１６は、デバイス９００と他のデバイスとの間の、有線又は無線の通信を容易にするように構成される。デバイス９００は、ＷｉＦｉ、２Ｇ、若しくは、３Ｇ、又は、これらの組み合わせ等の通信規格に基づき、無線ネットワークにアクセスできる。一の例示的な実施形態では、通信コンポーネント９１６は、放送チャンネルを通じて、外部放送管理システムから、放送信号又は放送関連情報を受ける。一の例示的な実施形態では、通信コンポーネント９１６は、更に、短距離通信を容易にするため近距離通信（ＮＦＣ：near field communication）モジュールを含む。例えば、ＮＦＣモジュールは、無線周波数識別（ＲＦＩＤ：radio frequency identification）技術、赤外線データ協会（ＩｒＤＡ：infrared data association）技術、超広帯域（ＵＷＢ：ultra-wideband）技術、ブルートゥース（登録商標）（ＢＴ：Bluetooth）技術、及び、他の技術に基づいて実施されてもよい。
【０１０６】
例示的な実施形態では、デバイス９００は、上述の方法を行うため、１以上の、特定用途向け集積回路（ＡＳＩＣｓ：application specific integrated circuits）、ディジタル信号プロセッサ（ＤＳＰｓ：digital signal processors）、ディジタル信号プロセッシングデバイス（ＤＳＰＤｓ：digital signal processing devices），プログラマブル論理デバイス（ＰＬＤｓ：programmable logic devices）、フィールドプログラマブルゲートアレイ（ＦＰＧＡｓ：field programmable gate arrays）、コントローラ、マイクロコントローラ、マイクロプロセッサ、又は、他の電子コンポーネントと、共に実施されてもよい。
【０１０７】
例示的な実施形態では、更に、上述の方法を行うための、デバイス９００のプロセッサ９２０によって実行可能であり、メモリ９０４に含まれるような、命令を含む、非一時的なコンピュータ読取可能な記憶媒体が提供される。例えば、非一時的なコンピュータ読取可能な記憶媒体は、ＲＯＭ、ＲＡＭ、ＣＤ−ＲＯＭ、磁気デープ、フロッピーディスク（登録商標）、光学データ記憶デバイス等であってもよい。
【０１０８】
本発明の他の実施形態は、本明細書で開示される発明の明細及び実施の考慮から、当業者にとって明らかであろう。この出願は、発明の一般的概念に従い、かつ、当技術分野における公知又は慣用の範囲内で本開示から逸脱するものを含む、本発明の如何なる変形、使用、適合にも及ぶことが意図されている。明細及び実施例は、以下の特許請求の範囲によって示される本発明の実質的な範囲及び精神で、例示としてのみ考慮されることが意図される。
【０１０９】
本発明は、上述されかつ添付の図面に図示された厳密な構成に限定されず、かつ、本発明の範囲を逸脱しない範囲で様々な修正及び変更を行うことができるとわかるであろう。本発明の範囲は、付属の特許請求の範囲によってのみ限定されるものであることが意図される。
【図１Ａ】
0006259544.tif 000002
【図１Ｂ】
0006259544.tif 000003
【図２】
0006259544.tif 000004
【図３Ａ】
0006259544.tif 000005
【図３Ｂ】
0006259544.tif 000006
【図３Ｃ】
0006259544.tif 000007
【図３Ｄ】
0006259544.tif 000008
【図３Ｅ】
0006259544.tif 000009
【図４】
0006259544.tif 000010
【図５】
0006259544.tif 000011
【図６】
0006259544.tif 000012
【図７】
0006259544.tif 000013
【図８】
0006259544.tif 000014
【図９】
0006259544.tif 000015